(57)【特許請求の範囲】
【請求項１】
背景用インクを媒体に吐出して背景画像を形成し、カラーインクを前記媒体に吐出してカラー画像を形成する印刷装置を制御する印刷制御装置であって、
第１色空間の階調値と前記カラーインクの色に対応する第２色空間の階調値とを対応付けた第１ルックアップテーブル及び第２ルックアップテーブルを備え、
前記第１色空間の前記カラー画像を構成するそれぞれのカラー画素の階調値を前記第２色空間の階調値に色変換することによって、一部が前記背景画像の上に形成されることになる前記カラー画像を示す画像データを前記第１色空間から前記第２色空間に色変換する際に、
色変換対象となる前記カラー画素の位置での前記背景画像の有無を判断し、
前記位置に前記背景画像が無い場合には、前記第１ルックアップテーブルを用いて、前記カラー画素の階調値を前記第２色空間の階調値に変換し、
前記位置に前記背景画像がある場合には、前記第２ルックアップテーブルを用いて、前記カラー画素の階調値を前記第２色空間の階調値に色変換するとともに、
前記第２ルックアップテーブルは、前記背景画像の所定階調値に対応しており、
色変換対象となる前記カラー画素の位置での前記背景画像の階調値が、前記背景画像が無いことを示す階調値と、前記所定階調値との間である場合、
前記第１ルックアップテーブルを用いて変換した前記第２色空間の階調値と、前記第２ルックアップテーブルを用いて変換した前記第２色空間の階調値とを用いて補間することによって、
前記カラー画素の階調値を前記第２色空間の階調値に色変換する
ことを特徴とする印刷制御装置。
【請求項２】
請求項１に記載の印刷制御装置であって、
前記背景用インク及びカラーインクは、光を照射すると硬化する光硬化型インクである
ことを特徴とする印刷制御装置。
【請求項３】
請求項１又は２に記載の印刷制御装置であって、
前記背景画像は、ホワイトインク、メタリックインクのいずれかによって、若しくは前記ホワイトインクと前記カラーインクによって、形成される
ことを特徴とする印刷制御装置。
【請求項４】
背景用インクを媒体に吐出して背景画像を形成し、カラーインクを前記媒体に吐出してカラー画像を形成する印刷装置を制御する印刷制御装置に色変換処理を実行させるためのプログラムであって、
第１色空間の階調値と前記カラーインクの色に対応する第２色空間の階調値とを対応付けた第１ルックアップテーブル及び第２ルックアップテーブルを備え、
前記第１色空間の前記カラー画像を構成するそれぞれのカラー画素の階調値を前記第２色空間の階調値に色変換することによって、一部が前記背景画像の上に形成されることになる前記カラー画像を示す画像データを前記第１色空間から前記第２色空間に色変換する際に、
色変換対象となる前記カラー画素の位置での前記背景画像の有無を判断する機能と、
前記位置に前記背景画像が無い場合には、前記第１ルックアップテーブルを用いて、前記カラー画素の階調値を前記第２色空間の階調値に変換する機能と、
前記位置に前記背景画像がある場合には、前記第２ルックアップテーブルを用いて、前記カラー画素の階調値を前記第２色空間の階調値に色変換する機能と
を前記印刷制御装置に実行させるとともに、
前記第２ルックアップテーブルは、前記背景画像の所定階調値に対応しており、
色変換対象となる前記カラー画素の位置での前記背景画像の階調値が、前記背景画像が無いことを示す階調値と、前記所定階調値との間である場合、前記第１ルックアップテーブルを用いて変換した前記第２色空間の階調値と、前記第２ルックアップテーブルを用いて変換した前記第２色空間の階調値とを用いて補間することによって、前記カラー画素の階調値を前記第２色空間の階調値に色変換する機能
を前記印刷制御装置に実行させるプログラム。
【発明の詳細な説明】
【技術分野】
【０００１】
本発明は、印刷制御装置及びプログラムに関する。
【背景技術】
【０００２】
インクを吐出して媒体に印刷を行うインクジェット式の印刷装置が知られている。このような印刷装置の中に、ホワイトインクなどの背景用インクを備えたものがある。そして、背景用インクを媒体に塗布して背景画像を形成し、その背景画像の上にカラー画像を形成することが行われている。
【先行技術文献】
【特許文献】
【０００３】
【特許文献１】特開２００９−１１３２８４号公報
【発明の概要】
【発明が解決しようとする課題】
【０００４】
カラー画像の下の背景画像の階調に応じて、カラー画像の色が異なって視認されるという現象が確認されている。例えば、同じカラー画像を印刷した場合であっても、その下に背景画像がある場合と無い場合とでは、カラー画像の色が異なって視認されることになる。
【０００５】
本発明は、背景画像の有無に応じてカラー画像の色を調整することを目的とする。
【課題を解決するための手段】
【０００６】
上記目的を達成するための主たる発明は、背景用インクを媒体に吐出して背景画像を形成し、カラーインクを前記媒体に吐出してカラー画像を形成する印刷装置を制御する印刷制御装置であって、第１色空間の階調値と前記カラーインクの色に対応する第２色空間の階調値とを対応付けた第１ルックアップテーブル及び第２ルックアップテーブルを備え、前記第１色空間の前記カラー画像を構成するそれぞれのカラー画素の階調値を前記第２色空間の階調値に色変換することによって、一部が前記背景画像の上に形成されることになる前記カラー画像を示す画像データを前記第１色空間から前記第２色空間に色変換する際に、色変換対象となる前記カラー画素の位置での前記背景画像の有無を判断し、前記位置に前記背景画像が無い場合には、前記第１ルックアップテーブルを用いて、前記カラー画素の階調値を前記第２色空間の階調値に変換し、前記位置に前記背景画像がある場合には、前記第２ルックアップテーブルを用いて、前記カラー画素の階調値を前記第２色空間の階調値に色変換するとともに、前記第２ルックアップテーブルは、前記背景画像の所定階調値に対応しており、色変換対象となる前記カラー画素の位置での前記背景画像の階調値が、前記背景画像が無いことを示す階調値と、前記所定階調値との間である場合、前記第１ルックアップテーブルを用いて変換した前記第２色空間の階調値と、前記第２ルックアップテーブルを用いて変換した前記第２色空間の階調値とを用いて補間することによって、前記カラー画素の階調値を前記第２色空間の階調値に色変換することを特徴とする印刷制御装置である。
【０００７】
本発明の他の特徴については、本明細書及び添付図面の記載により明らかにする。
【図面の簡単な説明】
【０００８】
【図１】図１Ａは、原画像の画像データの説明図である。図１Ｂは、図１Ａの画像データに従ってインクジェット方式にて印刷された印刷画像の説明図である。
【図２】図２は、印刷装置１の概略側面図である。
【図３】図３は、印刷装置１のブロック図である。
【図４】図４Ａは、表刷り印刷により形成される画像（表刷り印刷画像）の説明図である。図４Ｂは、裏刷り印刷により形成される画像（裏刷り印刷画像）の説明図である。
【図５】図５は、プリンタドライバが行う処理の概略的な説明図である。
【図６】図６は、第１実施形態の色変換処理のフロー図である。
【図７】図７は、第１実施形態の色変換処理の概要の説明図である。
【図８】図８は、第２実施形態の原画像の画像データの説明図である
【図９】図９は、第２実施形態の色変換処理のフロー図である。
【図１０】図１０は、第３実施形態の色変換処理のフロー図である。
【発明を実施するための形態】
【０００９】
本明細書及び添付図面の記載により、少なくとも、以下の事項が明らかとなる。
【００１０】
背景用インクを媒体に吐出して背景画像を形成し、カラーインクを前記媒体に吐出してカラー画像を形成する印刷装置を制御する印刷制御装置であって、第１色空間の階調値と前記カラーインクの色に対応する第２色空間の階調値とを対応付けた第１ルックアップテーブル及び第２ルックアップテーブルを備え、前記第１色空間の前記カラー画像を構成するそれぞれのカラー画素の階調値を前記第２色空間の階調値に色変換することによって、一部が前記背景画像の上に形成されることになる前記カラー画像を示す画像データを前記第１色空間から前記第２色空間に色変換する際に、色変換対象となる前記カラー画素の位置での前記背景画像の有無を判断し、前記位置に前記背景画像が無い場合には、前記第１ルックアップテーブルを用いて、前記カラー画素の階調値を前記第２色空間の階調値に変換し、前記位置に前記背景画像がある場合には、前記第２ルックアップテーブルを用いて、前記カラー画素の階調値を前記第２色空間の階調値に色変換することを特徴とする印刷制御装置が明らかとなる。  
このような印刷制御装置によれば、背景画像の有無に応じてカラー画像の色を調整して印刷装置に印刷させることができる。
【００１１】
前記第２ルックアップテーブルは、前記背景画像の所定階調値に対応しており、色変換対象となる前記カラー画素の位置での前記背景画像の階調値が、前記背景画像が無いことを示す階調値と、前記所定階調値との間である場合、前記第１ルックアップテーブルを用いて変換した前記第２色空間の階調値と、前記第２ルックアップテーブルを用いて変換した前記第２色空間の階調値とを用いて補間することによって、前記カラー画素の階調値を前記第２色空間の階調値に色変換することが望ましい。これにより、背景画像の階調値（濃度）に応じてカラー画像の色を調整して印刷装置に印刷させることができる。
【００１２】
前記背景用インク及びカラーインクは、光を照射すると硬化する光硬化型インクであることが望ましい。これにより、光硬化型インクの場合、硬化するとインクを弾く性質があり、背景画像の有無によるドットの濡れ広がり方が大きく異なるため、背景画像の有無によるカラー画像の色の変化が大きくなりやすいので、このような場合に特に有効である。
【００１３】
前記背景画像は、ホワイトインク、メタリックインクのいずれかによって、若しくは前記ホワイトインクと前記カラーインクによって、形成されることが望ましい。
【００１４】
背景用インクを媒体に吐出して背景画像を形成し、カラーインクを前記媒体に吐出してカラー画像を形成する印刷装置を制御する印刷制御装置に色変換処理を実行させるためのプログラムであって、第１色空間の階調値と前記カラーインクの色に対応する第２色空間の階調値とを対応付けた第１ルックアップテーブル及び第２ルックアップテーブルを備え、前記第１色空間の前記カラー画像を構成するそれぞれのカラー画素の階調値を前記第２色空間の階調値に色変換することによって、一部が前記背景画像の上に形成されることになる前記カラー画像を示す画像データを前記第１色空間から前記第２色空間に色変換する際に、色変換対象となる前記カラー画素の位置での前記背景画像の有無を判断する機能と、前記位置に前記背景画像が無い場合には、前記第１ルックアップテーブルを用いて、前記カラー画素の階調値を前記第２色空間の階調値に変換する機能と、前記位置に前記背景画像がある場合には、前記第２ルックアップテーブルを用いて、前記カラー画素の階調値を前記第２色空間の階調値に色変換する機能とを前記印刷制御装置に実行させるプログラムが明らかとなる。  
このようなプログラムによれば、背景画像の有無に応じてカラー画像の色を調整して印刷装置に印刷させることができる。
【００１５】
＝＝＝第１実施形態＝＝＝
＜背景画像の有無の影響＞
図１Ａは、原画像の画像データの説明図である。この画像データは、カラー画像レイヤと、背景画像レイヤを備えている。カラー画像レイヤには、カラー画像を示すカラー画像データが構成されている。背景画像レイヤには、背景画像を示す背景画像データが構成されている。２つのレイヤの重なりによって、印刷すべき画像のデータが構成されている。ここでは、背景画像の上にカラー画像が形成されることが示されている。
【００１６】
背景画像は、例えば白い塗り潰し画像である。また、カラー画像は、ここでは文字Ａであり、文字Ａの塗り潰し領域は、同じ色の画素から構成されている（文字Ａの塗り潰し領域にある画素は、同じＲＧＢの階調値である）。ここでは、文字Ａの下側にだけ背景画像が配置されており、文字Ａの上側には背景画像は配置されていないものとする。
【００１７】
図１Ｂは、図１Ａの画像データに従ってインクジェット方式にて印刷された印刷画像の説明図である。この印刷画像は、媒体Ｓに背景画像が形成された後、更にカラー画像を形成することによって、印刷されている。例えば、媒体Ｓにホワイトインクを隙間無く塗布して白い塗り潰し画像（背景画像）を形成した後に、カラードットから構成されるカラー画像が形成されることになる。
【００１８】
図１Ｂの右側には、カラー画像を構成するカラードットの形状が示されている。媒体Ｓの表面と、ホワイトインクの塗布された背景画像の表面とでは、濡れ性が異なっている。この結果、媒体Ｓにカラードットを直接形成した場合と、ホワイトインクの塗布された背景画像の上にカラードットを形成した場合とでは、カラードットの形状が異なることになる。図中では、媒体Ｓの濡れ性が高いため、媒体Ｓに直接形成されたカラードットの方が、背景画像の上のカラードットよりも、濡れ広がっている。ＵＶインクの場合、紫外光の照射により硬化するとインクを弾く性質があるため、背景画像の有無によるドットの濡れ広がり方の違いは特に著しい。
【００１９】
背景画像の有無によってカラードットの形状が異なる結果、仮に画像データ上での色（ＲＧＢの階調値）が同じであっても、印刷画像上では異なる色として視認されてしまう。例えば、背景画像の上のカラー画像は、カラードットが濡れ広がらないため、比較的淡く視認されてしまう。この結果、媒体Ｓに印刷された文字Ａは、上下の色が異なってしまう。なお、図１Ｂでは、ハッチングの違いによって、文字Ａの上下の色が異なることを示している。
【００２０】
以下の実施形態では、文字Ａの上下の色が同じになるように、画像処理を行っている（印刷データを生成している）。
【００２１】
＜印刷装置の概要＞
図２は、印刷装置１の概略側面図である。図３は、印刷装置１のブロック図である。
【００２２】
印刷装置１は、搬送ユニット１０、ヘッドユニット４０、検出器群５０、コントローラー６０、駆動信号生成回路７０、仮硬化ユニット８０、本硬化ユニット９０を備えている。
【００２３】
搬送ユニット１０は、媒体を搬送する機能を有する。以下の説明では、媒体の搬送される方向を搬送方向と呼ぶ。搬送ユニット１０は、ドラム１１、第１ローラー１２、第２ローラー１２、第３ローラー１３を有する。媒体は、搬送ユニット１０の上流側の供給ユニット（不図示）から供給され、搬送ユニット１０の下流側の巻き取りローラー（不図示）によって巻き取られる。媒体は第１ローラー１２から第３ローラー１４までの間において所定の張力にて張られており、ドラム１１の表面に密着している。そして、ドラム１１が回転することによって、媒体が搬送されることになる。媒体は、紙であることもあるが、透明媒体Ｓであることもある。
【００２４】
ヘッドユニット４０は、搬送方向上流側から順に、第１ホワイトヘッドユニット４１Ｗ、マゼンタヘッドユニット４１Ｍ、シアンヘッドユニット４１Ｃ、イエローヘッドユニット４１Ｙ、ブラックヘッドユニット４１Ｋ、及び第２ホワイトヘッドユニット４２Ｗを有する。各色のヘッドユニットには、多数のノズルが所定のノズルピッチ（例えば１／３６０インチ）で媒体の幅方向にわたって並んでいる。各色のヘッドユニットが各色のインクを吐出することによって、媒体に画像が印刷される。各色のヘッドユニットは、ドラム１１の表面に沿って設けられている。また、各色のヘッドユニットは、ＵＶインクを吐出する。ＵＶインクは、紫外光が照射されると硬化する性質を有するインクである。
【００２５】
マゼンタヘッドユニット４１Ｍの吐出するマゼンタインクと、シアンヘッドユニット４１Ｃの吐出するシアンインクと、イエローヘッドユニット４１Ｙの吐出するイエローインクとによって、減色法によるカラー画像が印刷される。カラー画像の印刷には、ブラックヘッドユニット４１Ｋから吐出されるブラックインクも用いられる。以下の説明では、マゼンタインク、シアンインク、イエローインク及びブラックインクのことをカラーインクと呼ぶことがある。
【００２６】
第１ホワイトヘッドユニット４１Ｗ及び第２ホワイトヘッドユニット４２Ｗは、白色のホワイトインクを吐出する。ホワイトインクは、カラー画像の背景となる背景画像を形成に用いられる背景色インクである。例えば、透明媒体にカラー画像を単独で形成するとカラー画像の視認性が良くないため、カラー画像と共に背景画像を形成することによって、カラー画像の遮光性（遮蔽性）を向上させて、カラー画像の視認性を高めている。但し、ホワイトインクは、紙などの不透明な媒体に吐出しても良い。
【００２７】
第１ホワイトヘッドユニット４１Ｗは、背景画像をカラー画像より先に（カラー画像の下に）形成する表刷り印刷で用いられる。第２ホワイトヘッドユニット４２Ｗは、背景画像をカラー画像の後に（カラー画像の上に）形成する裏刷り印刷で用いられる。透明な媒体に裏刷り印刷にてカラー画像を形成した場合には、透明な媒体の側から（透明な媒体越しに）カラー画像を見ることになる。
【００２８】
検出器群５０は、印刷装置１の各部の情報を検出する各種の検出器をあらわす。例えば、検出器群５０の中には、ドラムの回転角度を検出するエンコーダー（不図示）などが含まれている。検出器群５０は、コントローラー６０に検出信号を送信する。
【００２９】
コントローラー６０は、印刷装置１の制御を行うための制御ユニットである。コントローラー６０は、ＣＰＵ６１、メモリ６２及びインターフェース部６３を有する。ＣＰＵ６１は、印刷装置１の全体の制御を行うための演算処理装置である。メモリ６２は、ＣＰＵ６１の作業領域や、プログラムを格納する領域などを確保するための記憶部である。ＣＰＵ６１は、メモリ６２に格納されているプログラムに従って、各ユニットを制御することになる。インターフェース部６３は、外部装置であるコンピューター１１０と印刷装置１との間でデータの送受信を行う。
【００３０】
駆動信号生成回路７０は、ヘッドユニット４０に含まれているピエゾ素子などの駆動素子を駆動するための駆動信号を生成する回路である。駆動信号が駆動素子に印加されることによって、駆動素子が駆動して、インク滴がノズルから吐出されることになる。
【００３１】
仮硬化ユニット８０は、媒体に着弾したＵＶインク同士が滲まないようにＵＶインクの表面を硬化（仮硬化）させる程度の強度の紫外光を照射する。仮硬化ユニット８０は、搬送方向上流側から順に、第１ホワイト用光源８１Ｗ、マゼンタ用光源８１Ｍ、シアン用光源８１Ｃ、イエロー用光源８１Ｙ、ブラック用光源８１Ｋ及び第２ホワイト用光源８２Ｗを有する。仮硬化用の各色の光源は、ドラム１１の表面に沿って設けられている。また、各色の光源は、対応する色のヘッドユニットの下流側に設けられている。これにより、ＵＶインクが媒体に着弾してドットが形成された直後に、仮硬化用の光源から紫外光が照射されて、ＵＶインクのドット表面が仮硬化する。仮硬化ユニット８０の各色の光源として、ＬＥＤ（発光ダイオード）などが採用される。
【００３２】
本硬化ユニット９０は、媒体上のＵＶインクを本硬化（完全に固化）させることが可能な強度の紫外光を照射する。本硬化ユニット９０は、仮硬化用の光源よりも強い紫外光を照射するための本硬化用光源９１を有する。本硬化用光源９１は、ドラム１１の下部に設けられている。また、本硬化用光源９１は、媒体Ｓがドラム１１から離れてから第３ローラー１３に達するまでの間において、媒体に紫外光を照射する。例えば、本硬化用光源９１として、メタルハライドランプなどが採用される。なお、本硬化ユニット９０は、本硬化用光源９１の紫外光を媒体側に反射させる反射鏡や、排熱のためのフィン、ファン及びダクトなども備えている。
【００３３】
図４Ａは、表刷り印刷により形成される画像（表刷り印刷画像）の説明図である。「表刷り印刷」とは、媒体の印刷面の側（おもて側）から印刷画像を見るための印刷である。このため、「表刷り印刷」で背景画像及びカラー画像を形成する場合には、背景画像を媒体に形成した後に、その背景画像の上にカラー画像を形成することになる。
【００３４】
表刷り印刷を行う場合、印刷装置１は、第１ホワイトヘッドユニット４１Ｗを用いて、媒体に背景画像（白画像）を形成する。すなわち、印刷装置１は、媒体を搬送させながら、第１ホワイトヘッドユニット４１Ｗからホワイトインクを吐出して、ホワイトドットを媒体に形成し、そのホワイトドットに第１ホワイト用光源８１Ｗから紫外光を照射してホワイトドットを仮硬化させて、背景画像を形成する。その後、第１ホワイトヘッドユニット４１Ｗよりも搬送方向下流側のヘッドユニットを用いて、仮硬化後の背景画像の上にカラー画像が形成される。本硬化用光源９１は、カラー画像と、そのカラー画像の下の背景画像に紫外光を照射して、カラー画像と背景画像を本硬化させることになる。
【００３５】
図４Ｂは、裏刷り印刷により形成される画像（裏刷り印刷画像）の説明図である。「裏刷り印刷」とは、透明な媒体越しに（媒体の印刷面の裏側から）印刷画像を見るための印刷である。このため、「裏刷り印刷」で背景画像及びカラー画像を形成する場合には、カラー画像を媒体に形成した後に、そのカラー画像の上に背景画像を形成する。
【００３６】
裏刷り印刷を行う場合、印刷装置１は、第２ホワイトヘッドユニット４２Ｗを用いて、媒体に背景画像（白画像）を形成する。すなわち、印刷装置１は、媒体を搬送させながら、第２ホワイトヘッドユニット４２Ｗよりも搬送方向上流側のヘッドユニットを用いてカラー画像を形成し、仮硬化後のカラー画像の上に第２ホワイトヘッドユニット４２Ｗからホワイトインクを吐出して、カラー画像の上にホワイトドットを形成し、そのホワイトドットに第２ホワイト用光源８２Ｗから紫外光を照射してホワイトドットを仮硬化させて、背景画像を形成する。本硬化用光源９１は、カラー画像と、そのカラー画像の上の背景画像に紫外光を照射して、カラー画像と背景画像を本硬化させることになる。
【００３７】
なお、図４Ａ及び図４Ｂでは、背景画像とカラー画像の層が明確に分離して描かれているが、実際には、各層が明確に分離しているとは限らない。例えば、図４Ａの表刷り印刷画像の背景画像を構成するホワイトドットの間に隙間があれば、カラー画像を構成するカラードットの一部が透明媒体Ｓの上に形成されることもある。
【００３８】
また、図４Ａ及び図４Ｂの説明図は、印刷工程の順序も示している。例えば、図４Ａの場合、透明媒体Ｓの上に、まず背景画像を形成するためのホワイトインクが塗布され、その後にカラー画像を形成するためのカラーインクが塗布されることが示されていることになる。
【００３９】
＜プリンタドライバ＞
図５は、プリンタドライバが行う処理の概略的な説明図である。プリンタドライバは、コンピューター１１０（印刷制御装置に相当）に各種処理を実行させるプログラムである。
【００４０】
コンピューター１１０には、アプリケーションプログラム１１４やプリンタドライバ１１６などのコンピュータプログラムがインストールされている。アプリケーションプログラム１１４は、例えば画像編集プログラムである。ユーザは、図１Ａに示す画像データをアプリケーションプログラム１１４で作成し、画像を印刷する指示を与える。アプリケーションプログラム１１４は、印刷の指示を受けると、プリンタドライバ１１６に画像データを出力する。
【００４１】
プリンタドライバ１１６は、アプリケーションプログラム１１４から出力された画像データを印刷データに変換するため、解像度変換処理・色変換処理・ハーフトーン処理・ラスタライズ処理などを行う。以下に、プリンタドライバ１１６が行う各種の処理について説明する。
【００４２】
解像度変換処理は、画像データ（テキストデータ、イメージデータなど）を、印刷解像度のビットマップデータに変換する処理である。解像度変換処理後の画像データは、カラー画像を示す２５６階調のＲＧＢデータ（ＲＧＢ色空間の画像データ）と、背景画像を示すＷデータとから構成される。第１実施形態のＷデータは、背景の有無を示す２階調の画素データから構成されているものとする。（第２実施形態のＷデータは、中間階調値を表現可能な２５６階調である。）
色変換処理は、ＲＧＢデータをＣＭＹＫデータ（ＣＭＹＫ色空間の画像データ）に変換する処理である。なお、ＣＭＹＫデータは、印刷装置１が有するインクの色に対応したデータである。この色変換処理は、ＲＧＢの階調値とＣＭＹＫの階調値とを対応づけたテーブル（ルックアップテーブルＬＵＴ）をプリンタドライバ１１６が参照することによって行われる。色変換処理後のデータは、カラー画像を示す２５６階調のＣＭＹＫデータと、２階調のＷデータから構成される。
【００４３】
本実施形態では、プリンタドライバは、２種類のルックアップテーブルＬＵＴ（背景０％ＬＵＴ、背景１００％ＬＵＴ）を備えている。言い換えると、コンピューター１１０の記憶装置には、２種類のルックアップテーブルＬＵＴ（背景０％ＬＵＴ、背景１００％ＬＵＴ）が記憶されている。
【００４４】
背景０％ＬＵＴは、背景の無いカラー画像を色変換処理するときに用いられるルックアップテーブルである。背景１００％ＬＵＴは、背景画像の上に形成されるカラー画像を色変換処理するときに用いられるルックアップテーブルである。背景０％ＬＵＴと背景１００％ＬＵＴの用い方については、後述する。
【００４５】
ハーフトーン処理は、高階調数のデータを、印刷装置１が形成可能な階調数のデータに変換する処理である。ここでは、２５６階調のＣＭＹＫデータが、４階調のＣＭＹＫデータに変換される。ハーフトーン処理では、ディザ法・γ補正・誤差拡散法などが利用される。４階調のＣＭＹＫデータは、各画素のドットの形成（ドット無し、小ドット、中ドット、大ドット）を示すドットデータになる。なお、４階調ではなく、ドットの有無を示す２階調のデータに変換しても良い。
【００４６】
ラスタライズ処理は、２次元の画像データを、印刷装置１に転送すべきデータ順に変更する処理である。ラスタライズ処理されたデータは、印刷データに含まれる画素データとして、印刷装置１に出力される。印刷装置１は、４階調のドットデータに従って各ノズルからインクを吐出し、媒体上の各画素にドット（小ドット、中ドット又は大ドット）を形成する。
【００４７】
＜色変換処理＞
図６は、第１実施形態の色変換処理のフロー図である。図７は、第１実施形態の色変換処理の概要の説明図である。
【００４８】
色変換処理されるＲＧＢ色空間の画像データは、２次元のデジタル画像を示すデータである。デジタル画像には画素が２次元的に配置されて構成されており、各画素にはＲＧＢの２５６階調を示す画素データが割り当てられている。色変換処理は、画像データを構成する画素データのそれぞれに対して行われる。ここでは、文字Ａの塗り潰し領域にある画素は同じ階調値（Ｒ１，Ｇ１，Ｂ１）であるものとする。
【００４９】
まず、プリンタドライバは、色変換処理対象の画素の位置（対象位置）における背景画像の有無を判断する（Ｓ００１）。背景画像の有無は、背景画像の対象位置の画素の階調値（２階調）に基づいて判断される。
【００５０】
プリンタドライバは、対象位置に背景画像が無ければ、背景０％ＬＵＴを用いて、ＲＧＢの階調値をＣＭＹＫの階調値に変換する（Ｓ００２）。ここでは、階調値（Ｒ１，Ｇ１，Ｂ１）が（Ｃ１１，Ｍ１１，Ｙ１１，Ｋ１１）に変換されるものとする。
【００５１】
プリンタドライバは、対象位置に背景画像があれば、背景１００％ＬＵＴを用いて、ＲＧＢの階調値をＣＭＹＫの階調値に変換する（Ｓ００３）。ここでは、階調値（Ｒ１，Ｇ１，Ｂ１）が（Ｃ１２，Ｍ１２，Ｙ１２，Ｋ１２）に変換されるものとする。背景０％ＬＵＴと背景１００％ＬＵＴが異なるため、同じＲＧＢの階調値（Ｒ１，Ｇ１，Ｂ１）であっても、異なるＣＭＹＫの階調値に変換される。つまり、色変換後のＣＭＹＫ色空間上での文字Ａは、上下の色が異なっている。背景画像の上のカラー画像が比較的淡く視認される場合には（図１Ｂ参照）、変換後のＣＭＹＫの階調値が濃くなるように、背景１００％ＬＵＴが設定されている。
【００５２】
第１実施形態によれば、プリンタドライバは、対象位置に背景画像が無ければ、背景０％ＬＵＴ（第１ルックアップテーブルに相当）を用いて、ＲＧＢの階調値をＣＭＹＫの階調値に変換する。また、プリンタドライバは、対象位置に背景画像があれば、背景１００％ＬＵＴ（第２ルックアップテーブルに相当）を用いて、ＲＧＢの階調値をＣＭＹＫの階調値に変換する。これにより、第１実施形態の色変換処理後の画像データに基づいて印刷装置１が印刷を行うと、上下の色が同じ文字Ａが媒体に印刷される。
【００５３】
なお、説明を簡易にするために、画像データ上のカラー画像を同じ色にしているが、画素毎に異なる色（異なる階調値）になっていても良い。カラー画像が文字ではなく自然画の場合、画素毎に異なる色であることが普通である。但し、自然画のようなカラー画像であっても、第１実施形態の色変換処理を行えば、背景画像の有無に応じてカラー画像の色が変化することを抑制できる。
【００５４】
＝＝＝第２実施形態＝＝＝
図８は、第２実施形態の原画像の画像データの説明図である。第２実施形態では、背景画像が２５６階調である。これにより、背景画像を中間階調値で表現することが可能になり、例えば背景画像にグラデーションを施すことも可能になる。
【００５５】
第１実施形態では、２階調の背景画像の階調値ごとにルックアップテーブルＬＵＴが用意されていた。一方、第２実施形態のように背景画像が多段階の階調値で表現されるときに、各階調値ごとにルックアップテーブルＬＵＴを用意すると、データ量が膨大になってしまう。そこで、第２実施形態では、ＣＭＹＫの階調値を補間することにしている。
【００５６】
図９は、第２実施形態の色変換処理のフロー図である。
【００５７】
まず、プリンタドライバは、色変換処理対象画素の位置（対象位置）における背景画素の階調値を抽出する（Ｓ１０１）。ここでは、背景画素の階調値（２５６階調）が６４であったとする。
【００５８】
ところで、背景画素の階調値が最小階調値０のとき、背景が無い状態になり、このときの濃度を０％（濃度値０）とする。また、背景画素の階調値が最大階調値２５５のとき、背景が最濃の状態になり、このときの濃度を１００％（濃度値１）とする。背景画素の階調値が６４の場合、濃度は２５％（濃度値α＝０．２５）に相当する。プリンタドライバには、濃度０％に対応する背景０％ＬＵＴと濃度１００％に対応する背景１００％ＬＵＴとが用意されているだけであり、濃度２５％に対応するルックアップテーブルは用意されていない。
【００５９】
次に、プリンタドライバは、背景０％ＬＵＴを用いて、ＲＧＢの階調値をＣＭＹＫの階調値に変換する（Ｓ１０２）。ここでは、階調値（Ｒ１，Ｇ１，Ｂ１）が（Ｃ１１，Ｍ１１，Ｙ１１，Ｋ１１）に変換されるものとする。
【００６０】
次に、プリンタドライバは、背景１００％ＬＵＴを用いて、ＲＧＢの階調値をＣＭＹＫの階調値に変換する（Ｓ１０３）。ここでは、階調値（Ｒ１，Ｇ１，Ｂ１）が（Ｃ１２，Ｍ１２，Ｙ１２，Ｋ１２）に変換されるものとする。
【００６１】
次に、プリンタドライバは、Ｓ１０２とＳ１０３で算出した２つのＣＭＹＫの階調値を用いて、次式のように濃度値αに対応するＣＭＹＫの階調値（Ｃ１３，Ｍ１３，Ｙ１３，Ｋ１３）を補間する（Ｓ１０４）。
【００６２】
(C13,M13,Y13,K13) = (1−α)×(C11,M11,Y11,K11)＋α×(C12,M12,Y12,K12)
【００６３】
第２実施形態においても、プリンタドライバは、対象位置に背景画像が無ければ、背景０％ＬＵＴ（第１ルックアップテーブルに相当）を用いて、ＲＧＢの階調値をＣＭＹＫの階調値に変換することになる。また、プリンタドライバは、対象位置に背景画像があれば、背景１００％ＬＵＴ（第２ルックアップテーブルに相当）を用いて、ＲＧＢの階調値をＣＭＹＫの階調値に変換することになる。
【００６４】
また、第２実施形態では、対象位置の背景画像が中間階調値であれば、背景０％ＬＵＴ（第１ルックアップテーブル）を用いて算出したＣＭＹＫの階調値と、背景１００％ＬＵＴ（第２ルックアップテーブルに相当）を用いて算出したＣＭＹＫの階調値とを用いて補間することによって、階調値（Ｒ１，Ｇ１，Ｂ１）を階調値（Ｃ１３，Ｍ１３，Ｙ１３，Ｋ１３）に色変換している。これにより、背景画像の階調値（濃度）に関わらず、カラー画像（文字Ａ）が同じ色に見えるように印刷される。
【００６５】
なお、第２実施形態では、２５６階調の背景画像の画像データ（Ｗデータ）は、ハーフトーン処理の際に、４階調の画像データに変換される。４階調の背景画像を示す画像データは、各画素にホワイトドットの形成（ドット無し、小ドット、中ドット、大ドット）を示すドットデータになる。なお、４階調ではなく、ドットの有無を示す２階調のデータに変換しても良い
＝＝＝第３実施形態＝＝＝
第２実施形態では、２つの階調値に対応するルックアップテーブルＬＵＴが用意されていたが、２以上のルックアップテーブルＬＵＴが用意されていても良い。第３実施形態では、プリンタドライバは、６つのルックアップテーブルＬＵＴ（背景０％ＬＵＴ、背景２０％ＬＵＴ、背景４０％ＬＵＴ、背景６０％ＬＵＴ、背景８０％ＬＵＴ、背景１００％ＬＵＴ）を備えているものとする。
【００６６】
図１０は、第３実施形態の色変換処理のフロー図である。
【００６７】
まず、プリンタドライバは、色変換処理対象画素の位置（対象位置）における背景画素の階調値を抽出する（Ｓ２０１）。ここでは、背景画素の階調値（２５６階調）が６４であったとする。背景画素の階調値が６４の場合、濃度は２５％に相当する。
【００６８】
次に、プリンタドライバは、Ｓ２０１で抽出した階調値（濃度）よりも低い階調値に対応するルックアップテーブル（背景Ａ％ＬＵＴ）と、高い階調値に対応するルックアップテーブル（背景Ｂ％ＬＵＴ）の２つを選択する（Ｓ２０２）。ここでは、背景２０％ＬＵＴと背景４０％ＬＵＴが選択されることになる。
【００６９】
次に、プリンタドライバは、Ｓ２０２で選択した２つのルックアップテーブルＬＵＴをそれぞれ用いて、ＲＧＢの階調値をＣＭＹＫの階調値に変換する（Ｓ２０３、Ｓ２０４）。ここでは、背景２０％ＬＵＴを用いて階調値（Ｒ１，Ｇ１，Ｂ１）が（Ｃ２１，Ｍ２１，Ｙ２１，Ｋ２１）に変換され、背景４０％ＬＵＴを用いて階調値（Ｒ１，Ｇ１，Ｂ１）が（Ｃ２２，Ｍ２２，Ｙ２２，Ｋ２２）に変換されることになる。
【００７０】
次に、プリンタドライバは、重みβを算出する（Ｓ２０５）。重みβは、Ｓ２０２で選択された２つのルックアップテーブルＬＵＴに対応する濃度の差（＝Ｂ％−Ａ％）に対する、濃度（Ａ％）と濃度２５％との濃度差の割合に相当する。ここでは、β＝０．２５となる。
【００７１】
次に、プリンタドライバは、Ｓ２０３とＳ２０４で算出した２つのＣＭＹＫの階調値と、Ｓ２０５で算出した重みβとを用いて、次式のようにＣＭＹＫの階調値（Ｃ２３，Ｍ２３，Ｙ２３，Ｋ２３）を補間する。
【００７２】
(C23,M23,Y23,K23) = (1−β)×(C21,M21,Y21,K21)＋β×(C22,M22,Y22,K22)
【００７３】
第３実施形態においても、第２実施形態と同様に、色変換処理後の画像データに基づいて印刷装置１が印刷を行うと、背景画像の階調値（濃度）に関わらず、背景画像の上のカラー画像（文字Ａ）が同じ色に見えるように印刷される。
【００７４】
なお、第３実施形態においても、プリンタドライバは、対象位置に背景画像が無ければ、背景０％ＬＵＴ（第１ルックアップテーブルに相当）を用いて、ＲＧＢの階調値をＣＭＹＫの階調値に変換することになる。また、プリンタドライバは、対象位置に背景画像があれば、背景２０％ＬＵＴ〜背景１００％ＬＵＴのいずれかのルックアップテーブル（第２ルックアップテーブルに相当）を用いて、ＲＧＢの階調値をＣＭＹＫの階調値に変換することになる。
【００７５】
また、第２実施形態では、対象位置の背景画像が濃度０％〜２０％に相当する中間階調値であれば、背景０％ＬＵＴ（第１ルックアップテーブル）を用いて算出したＣＭＹＫの階調値と、背景２０％ＬＵＴ（第２ルックアップテーブルに相当）を用いて算出したＣＭＹＫの階調値とを用いて補間することによって、ＲＧＢ色空間の階調値をＣＭＹＫ色空間の階調値に色変換することになる。
【００７６】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００７７】
＜印刷装置について＞
前述の実施形態では、印刷装置はＵＶインクを用いて画像を形成していた。但し、透明な媒体に画像を形成できるのであれば、ＵＶインクでなくても良い。この場合、前述の実施形態の仮硬化ユニット８０や本硬化ユニット９０は不要になる。しかし、フィルムなどの透明な媒体はインクを吸収しにくいため、印刷面でドットを硬化させて画像を形成することができるＵＶインクを用いるのが望ましい。
【００７８】
また、前述の実施形態の印刷装置は、いわゆるライン型印刷装置（媒体を搬送させながら、固定されたヘッドからインクを吐出して画像を形成する印刷装置）であった。但し、ライン型印刷装置ではなく、いわゆるシリアル型印刷装置（媒体を搬送する動作と、移動するヘッドからインクを吐出してドットを形成する動作とを交互に繰り返す印刷装置）であっても良い。
【００７９】
＜ホワイトインクについて＞
前述のホワイトインクは、エプソン純正写真用紙＜光沢＞（セイコーエプソン株式会社製）に、ｄｕｔｙ１００％以上で吐出された白色インクの明度（Ｌ＊）と色度（ａ＊、ｂ＊）が、分光測光器Ｓｐｅｃｔｒｏｌｉｎｏ（商品名：ＧｒｅｔａｇＭａｃｂｅｔｈ社製）を、測定条件をＤ５０光源、観測視野を２°、濃度をＤＩＮ＿ＮＢ、白色基準をＡｂｓ、フィルターをＮｏ、測定モードをＲｅｆｒｅｃｔａｎｃｅ、として設定して計測した場合に、７０≦Ｌ＊≦１００、−４．５≦ａ＊≦２、−６≦ｂ＊≦２．５の範囲を示すインクのことをいう。
【００８０】
前述のホワイトインクは、白色顔料を含有する。白色顔料としては、例えば、金属酸化物、硫酸バリウム、炭酸カルシウム等が挙げられる。金属酸化物としては、例えば、二酸化チタン、酸化亜鉛、シリカ、アルミナ、酸化マグネシウム等が挙げられる。これらの中でも、白色度に優れているという観点から、二酸化チタンが好ましい。
【００８１】
＜背景画像について＞
前述の背景画像は、ホワイトインクを塗布することによって形成されていた。但し、背景画像は、ホワイトインクによって形成される画像に限られるものではない。例えば、ホワイトインクの代わりに、光輝性インク（メタリックインク）を塗布しても良い。
【００８２】
光輝性インクは、光輝性インクは、金属粒子として銀粒子やアルミニウム（薄片状アルミニウム、鱗片状アルミニウム）等を含有する。銀粒子は、銀を主成分とする粒子である。銀粒子は、例えば、副成分として、他の金属、酸素、炭素等を含んでもよい。銀粒子は、銀と他の金属との合金であってもよい。また、インク組成物中の銀粒子は、コロイド（粒子コロイド）の状態で存在していてもよい。銀粒子がコロイド状態で分散している場合は、さらに分散性が良好となり、例えばインク組成物の保存安定性の向上に寄与することができる。金属粒子としてアルミニウムを用いた場合、アルミニウムは媒体にほぼ平行に並ぶがそれぞれのリーフの重なり合いにより、実際には平行ではない。そのため、アルミニウムを用いた場合の光沢は光沢度の高い鏡面光沢ではなく、マット調の光沢になる場合が多い。それに対して銀粒子を含む光輝性インクは、アルミニウムを含む光輝性インクよりも、光沢度の高い光輝性画像を形成することが可能である。
【００８３】
光輝性インクの溶媒としては、イオン交換水、限外ろ過水、逆浸透水、蒸留水などの純水または超純水が用いられる。金属粒子の分散の妨げにならない程度であれば、水中にイオン等が存在していてもよい。また、必要に応じて、界面活性剤、保湿剤、増粘剤、ｐＨ調整剤、防腐剤、樹脂類等を含有していてもよい。
【００８４】
また、背景画像は、ホワイトインクとカラーインクを用いて調色した塗り潰し画像でも良い。この場合、媒体の色に応じて調色した背景画像を形成すれば、媒体の色の影響を受けずにカラー画像を形成することができる。例えば、媒体が若干黄色みを帯びている場合に、ホワイトインクとカラーインクを用いて若干青みを帯びるように調色すれば、白く視認されるように調色された背景画像を形成できる。
【符号の説明】
【００８５】
１  印刷装置、
１０  搬送ユニット、１１  ドラム、
１２  第１ローラー、１３  第２ローラー、１４  第３ローラー、
４０  ヘッドユニット、
４１Ｗ  第１ホワイトヘッドユニット、
４１Ｃ  シアンヘッドユニット、
４１Ｍ  マゼンタヘッドユニット、
４１Ｙ  イエローヘッドユニット、
４１Ｋ  ブラックヘッドユニット、
４２Ｗ  第２ホワイトヘッドユニット、
５０  検出器群、６０  コントローラー、
６１  ＣＰＵ、６２  メモリ、６３  インターフェース部、
７０  駆動信号生成回路、
８０  仮硬化ユニット、
８１Ｗ  第１ホワイト用光源、
８１Ｃ  シアン用光源、
８１Ｍ  マゼンタ用光源、
８１Ｙ  イエロー用光源、
８１Ｋ  ブラック用光源、
８２Ｗ  第２ホワイト用光源、
９０  本硬化ユニット、９１  本硬化用光源、
Ｓ  媒体（透明媒体）、
Ｌ  ラベル
【図１】
0005884539.tif 000002
【図２】
0005884539.tif 000003
【図３】
0005884539.tif 000004
【図４】
0005884539.tif 000005
【図５】
0005884539.tif 000006
【図６】
0005884539.tif 000007
【図７】
0005884539.tif 000008
【図９】
0005884539.tif 000009
【図１０】
0005884539.tif 000010
【図８】
0005884539.tif 000011